(57)【要約】【解決手段】本発明は、デバイス発見方法および装置を開示している。該デバイス発見方法は、移動通信網の第１移動通信端末に用いる。前記デバイス発見方法において、現在の実地理位置を取得し、地理位置とグリッドとの間の第１対応関係に基づいて、前記実地理位置に対応する第１グリッドを特定し、グリッドと伝送資源集合との間の第２対応関係に基づいて、前記第１グリッドに対応する第１伝送資源集合を特定し、前記第１伝送資源集合における資源ブロックを利用して発見信号を伝送することによって、第２移動通信端末が、前記発見信号の受信後に、前記発見信号に記録された端末情報に基づいて前記第１移動通信端末を発見し、発見信号に用いられる資源ブロックの所在する伝送資源集合および前記第２対応関係に基づいて、前記第１移動通信端末の所在する前記第１グリッドを特定することを含む。【効果】本発明によれば、ユーザ発見ミスの確率が低下した。【選択図】図１
2014183592.tif 000002
【特許請求の範囲】
【請求項１】
各々に少なくとも１つの資源ブロックを含む複数の伝送資源集合に分けられて移動通信端末を発見するための伝送資源が割り当てられた移動通信網の第１移動通信端末に用いるデバイス発見方法において、
現在の実地理位置を取得し、
地理位置とグリッドとの間の第１対応関係に基づいて、前記実地理位置に対応する第１グリッドを特定し、
グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、前記第１グリッドに対応する第１伝送資源集合を特定し、
前記第１伝送資源集合における資源ブロックを利用して発見信号を伝送することによって、第２移動通信端末が、前記発見信号の受信後に、前記発見信号に記録された端末情報に基づいて前記第１移動通信端末を発見し、発見信号に用いられる資源ブロックの所在する伝送資源集合および前記第２対応関係に基づいて、前記第１移動通信端末の所在する前記第１グリッドを特定することを含むことを特徴とするデバイス発見方法。
【請求項２】
前記第１伝送資源集合における資源ブロックを利用して発見信号を伝送することは、
前記第１伝送資源集合における全資源ブロック上の信号の第１信号強度を検出し、
対応する信号強度が第１所定信号強度閾値より小さい第１資源ブロックが第１伝送資源集合に存在する場合、第１資源ブロックから１つの資源ブロックを選択し、選択した資源ブロックを利用して前記発見信号を伝送することを含むことを特徴とする請求項１に記載のデバイス発見方法。
【請求項３】
第１伝送資源集合における任意１つの資源ブロックに対応する信号強度が第１所定信号強度閾値以上である場合、第１伝送資源集合以外の伝送資源集合における資源ブロック上の信号の第２信号強度を検出し、
対応する第２信号強度が第２所定信号強度閾値より小さい１つの資源ブロックを選択し、選択した資源ブロックを利用して前記発見信号を伝送することをさらに含むことを特徴とする請求項２に記載のデバイス発見方法。
【請求項４】
各々に少なくとも１つの資源ブロックを含む複数の伝送資源集合に分けられて移動通信端末を発見するための伝送資源が割り当てられた移動通信網の第２移動通信端末に用いるデバイス発見方法において、
前記伝送資源において発見信号の検出を行い、
検出した発見信号に記録された第１移動通信端末の端末情報を特定して前記第１移動通信端末を発見し、
検出した発見信号に用いられる資源ブロックの所在する第１伝送資源集合を特定し、
グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、前記第１移動通信端末の所在するグリッドが前記第１伝送資源集合に対応する第１グリッドのうちの１つであると特定することを含むことを特徴とするデバイス発見方法。
【請求項５】
地理位置とグリッドとの間の第１対応関係に基づいて、前記第１移動通信端末の所在するエリアが前記第１グリッドに対応する実地理エリアのうちの１つであると特定することをさらに含むことを特徴とする請求項４に記載のデバイス発見方法。
【請求項６】
各々に少なくとも１つの資源ブロックを含む複数の伝送資源集合に分けられて移動通信端末を発見するための伝送資源が割り当てられた移動通信網の第１移動通信端末に用いるデバイス発見装置において、
現在の実地理位置を取得するための第１位置決めモジュールと、
地理位置とグリッドとの間の第１対応関係に基づいて、前記実地理位置に対応する第１グリッドを特定するための第１グリッド特定モジュールと、
グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、前記第１グリッドに対応する第１伝送資源集合を特定するための第１資源特定モジュールと、
前記第１伝送資源集合における資源ブロックを利用して発見信号を伝送することによって、第２移動通信端末が、前記発見信号の受信後に、前記発見信号に記録された端末情報に基づいて前記第１移動通信端末を発見し、発見信号に用いられる資源ブロックの所在する伝送資源集合および前記第２対応関係に基づいて、前記第１移動通信端末が所在する前記第１グリッドのうちの１つを特定するための第１伝送モジュールと、を含むことを特徴とするデバイス発見装置。
【請求項７】
前記第１伝送モジュールは、
前記第１伝送資源集合における全資源ブロック上の信号の第１信号強度を検出するための第１検出ユニットと、
対応する信号強度が第１所定信号強度閾値より小さい第１資源ブロックが第１伝送資源集合に存在する場合、第１資源ブロックから１つの資源ブロックを選択し、選択した資源ブロックを利用して前記発見信号を伝送するための第１伝送ユニットと、を含むことを特徴とする請求項６に記載のデバイス発見装置。
【請求項８】
第１伝送資源集合における任意１つの資源ブロックに対応する信号強度が第１所定信号強度閾値以上である場合、第１伝送資源集合以外の伝送資源集合における資源ブロック上の信号の第２信号強度を検出するための第２モニタリングユニットと、
対応する第２信号強度が第２所定信号強度閾値より小さい１つの資源ブロックを選択し、選択した資源ブロックを利用して前記発見信号を伝送するための第２伝送ユニットと、をさらに含むことを特徴とする請求項７に記載のデバイス発見装置。
【請求項９】
各々に少なくとも１つの資源ブロックを含む複数の伝送資源集合に分けられて移動通信端末を発見するための伝送資源が割り当てられた移動通信網の第２移動通信端末に用いるデバイス発見装置において、
前記伝送資源において発見信号の検出を行うための発見信号検出モジュールと、
検出した発見信号に記録された第１移動通信端末の端末情報を特定して前記第１移動通信端末を発見するための発見モジュールと、
検出した発見信号に用いられる資源ブロックの所在する第１伝送資源集合を特定するための第２資源特定モジュールと、
グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、前記第１移動通信端末の所在するグリッドが前記第１伝送資源集合に対応する第１グリッドであると特定するための第２グリッド特定モジュールと、を含むことを特徴とするデバイス発見装置。
【請求項１０】
地理位置とグリッドとの間の第１対応関係に基づいて、前記第１移動通信端末の所在するエリアが前記第１グリッドに対応する実地理エリアのうちの１つであると特定するための第２位置決めモジュールをさらに含むことを特徴とする請求項９に記載のデバイス発見装置。
【発明の詳細な説明】
【技術分野】
【０００１】
本発明は、移動通信技術分野に係り、特にデバイス発見方法および装置に関する。
【背景技術】
【０００２】
モバイルインターネットアプリケーションが勢いよく現れ、従来の移動通信技術に対して新たな挑戦を提起し、例えばより高いユーザレート、より柔軟な通信方式などが要求される。
【０００３】
このようなリクエストを満足するために、例えばＤ２Ｄ（Device  to  Device）通信技術またはｅＬＡ（enhanced  Local  Access）技術などの新型の無線技術が提案されている。
【０００４】
従来の移動通信網においてユーザと基地局との間のリンクのみを通じて通信する方式とは異なり、Ｄ２Ｄ通信においては、ユーザとユーザとの間の直接の無線リンクを通じた通信を試みる。ｅＬＡにおいては、比較的低いパワーのローカルアクセスノードを設置することにより、ユーザとローカルアクセスノードとの間の無線リンクを利用して通信する。一般的に言えば、ユーザ同士またはローカル無線リンクの伝送距離が比較的短く、リンク品質が比較的高く、しかも比較的高い周波数多重化ゲインの提供が可能であるため、マクロセル（Macro  Cell）の周波数スペクトル資源に余裕がなくユーザレートが比較的低いという窮地からの緩和に役立つ。
【０００５】
ユーザ同士、またはユーザとローカルアクセスノードとの間の通信を実現するには、まず少なくとも１つのユーザまたはローカルアクセスノードにおいて、近隣にある他のユーザを発見しなければならず、それから、発見したユーザとコネクションを確立して通信できるようになる。従来の移動通信における基地局とは異なり、ユーザまたはローカルアクセスノードは、同期と参照信号（Reference  Signal）の周期的送信をしてユーザによるセルＩＤの識別を助けるようなことをしない。したがって、方策を設計して、ユーザ同士の相互発見またはローカルアクセスノードによる近隣ユーザ発見を実現させる必要がある。
【０００６】
従来の移動通信端末の発見方法は、特定の物理層チャネルを設置することによって実現する。該特定の物理層チャネルは、一定の時間周波数資源を占用し、近隣の移動通信端末の識別に専用される。該物理層チャネルには、移動通信端末による発見信号の送信に供する（時間／周波数／コード／空間などの）資源を複数含む可能性があるが、異なる移動通信端末がそのうちの１つか複数の資源を選択して自身の発見信号を送信することができ、他の資源において、他の移動通信端末から送信される発見信号を監視する。例えば、ある移動通信端末は、該特定の物理層チャネルを使用して、自身のＩＤ情報を含む信号を放送するが、他の近隣の移動通信端末は、該特定の物理層チャネルを監視し、発見信号を受信しその中に含まれる移動通信端末ＩＤを復元すると、放送信号を送信する該移動通信端末を発見することとなる。
【０００７】
しかし、上記の方法には、少なくとも以下の欠点が存在する。１.発見した移動通信端末の位置情報を特定できない。２.発見失敗の確率が大きく存在する。
【０００８】
第２の欠点について、以下のように説明する。全てのユーザが同一の資源集合を使用して選択をするため、ユーザＡの付近に複数のユーザ（例えばユーザＢとユーザＣ）が存在し同一資源の使用を選択して発見信号を伝送する可能性がある。この際、ユーザＡから見れば、ユーザＡが該資源において監視すると、複数ユーザが該同一資源を使用して発見信号を伝送することによって信号間の相互干渉になる可能性があり、さらに複数のユーザ（例えばユーザＢとユーザＣ）に対する発見失敗をもたらす。
【発明の概要】
【発明が解決しようとする課題】
【０００９】
本発明の実施例の目的は、デバイス発見方法および装置を提供し、移動通信端末発見の成功率を向上し、発見された移動通信端末の大まかな位置情報を提供することにある。
【課題を解決するための手段】
【００１０】
上記の目的を実現するために、本発明の実施例において、移動通信網の第１移動通信端末に用いるデバイス発見方法を提供する。上記移動通信網には、移動通信端末を発見するための伝送資源が割り当てられている。上記伝送資源は、複数の伝送資源集合に分けられて、各伝送資源集合に少なくとも１つの資源ブロックを含む。上記デバイス発見方法において、現在の実地理位置を取得し、地理位置とグリッドとの間の第１対応関係に基づいて、上記実地理位置に対応する第１グリッドを特定し、グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、上記第１グリッドに対応する第１伝送資源集合を特定し、上記第１伝送資源集合における資源ブロックを利用して発見信号を伝送することによって、第２移動通信端末が、上記発見信号の受信後に、上記発見信号に記録された端末情報に基づいて上記第１移動通信端末を発見し、発見信号に用いられる資源ブロックの所在する伝送資源集合および上記第２対応関係に基づいて、上記第１移動通信端末の所在する上記第１グリッドを特定することを含む。
【００１１】
上記のデバイス発見方法において、上記第１伝送資源集合における資源ブロックを利用して発見信号を伝送することは、上記第１伝送資源集合における全資源ブロック上の信号の第１信号強度を検出し、対応する信号強度が第１所定信号強度閾値より小さい第１資源ブロックが第１伝送資源集合に存在する場合、第１資源ブロックから１つの資源ブロックを選択し、選択した資源ブロックを利用して上記発見信号を伝送することを含む。
【００１２】
上記のデバイス発見方法において、第１伝送資源集合における任意１つの資源ブロックに対応する信号強度が第１所定信号強度閾値以上である場合、第１伝送資源集合以外の伝送資源集合における資源ブロック上の信号の第２信号強度を検出し、対応する第２信号強度が第２所定信号強度閾値より小さい１つの資源ブロックを選択し、選択した資源ブロックを利用して上記発見信号を伝送することをさらに含む。
【００１３】
上記目的を実現するために、本発明の実施例において、移動通信網の第２移動通信端末に用いるデバイス発見方法をさらに提供する。上記移動通信網には、移動通信端末を発見するための伝送資源が割り当てられている。上記伝送資源は、複数の伝送資源集合に分けられて、各伝送資源集合に少なくとも１つの資源ブロックを含む。上記デバイス発見方法において、上記伝送資源において発見信号の検出を行い、検出した発見信号に記録された第１移動通信端末の端末情報を特定して上記第１移動通信端末を発見し、検出した発見信号に用いられる資源ブロックの所在する第１伝送資源集合を特定し、グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、上記第１移動通信端末の所在するグリッドが上記第１伝送資源集合に対応する第１グリッドのうちの１つであると特定することを含む。
【００１４】
上記のデバイス発見方法において、地理位置とグリッドとの間の第１対応関係に基づいて、上記第１移動通信端末の所在するエリアが上記第１グリッドに対応する実地理エリアのうちの１つであると特定することをさらに含む。
【００１５】
上記目的を実現するために、本発明の実施例において、移動通信網の第１移動通信端末に用いるデバイス発見装置をさらに提供する。上記移動通信網には、移動通信端末を発見するための伝送資源が割り当てられている。上記伝送資源は、複数の伝送資源集合に分けられて、各伝送資源集合に少なくとも１つの資源ブロックを含む。上記デバイス発見装置において、現在の実地理位置を取得するための第１位置決めモジュールと、地理位置とグリッドとの間の第１対応関係に基づいて、上記実地理位置に対応する第１グリッドを特定するための第１グリッド特定モジュールと、グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、上記第１グリッドに対応する第１伝送資源集合を特定するための第１資源特定モジュールと、上記第１伝送資源集合における資源ブロックを利用して発見信号を伝送することによって、第２移動通信端末が、上記発見信号の受信後に、上記発見信号に記録された端末情報に基づいて上記第１移動通信端末を発見し、発見信号に用いられる資源ブロックの所在する伝送資源集合および上記第２対応関係に基づいて、上記第１移動通信端末が所在する上記第１グリッドのうちの１つを特定するための第１伝送モジュールと、を含む。
【００１６】
上記のデバイス発見装置において、上記第１伝送モジュールは、上記第１伝送資源集合における全資源ブロック上の信号の第１信号強度を検出するための第１検出ユニットと、対応する信号強度が第１所定信号強度閾値より小さい第１資源ブロックが第１伝送資源集合に存在する場合、第１資源ブロックから１つの資源ブロックを選択し、選択した資源ブロックを利用して上記発見信号を伝送するための第１伝送ユニットと、を含む。
【００１７】
上記のデバイス発見装置において、第１伝送資源集合における任意１つの資源ブロックに対応する信号強度が第１所定信号強度閾値以上である場合、第１伝送資源集合以外の伝送資源集合における資源ブロック上の信号の第２信号強度を検出するための第２モニタリングユニットと、対応する第２信号強度が第２所定信号強度閾値より小さい１つの資源ブロックを選択し、選択した資源ブロックを利用して上記発見信号を伝送するための第２伝送ユニットと、をさらに含む。
【００１８】
上記の目的を実現するために、本発明の実施例において、移動通信網の第２移動通信端末に用いるデバイス発見装置をさらに提供する。上記移動通信網には、移動通信端末を発見するための伝送資源が割り当てられている。上記伝送資源は、複数の伝送資源集合に分けられて、各伝送資源集合に少なくとも１つの資源ブロックを含む。上記デバイス発見装置において、上記伝送資源において発見信号の検出を行うための発見信号検出モジュールと、検出した発見信号に記録された第１移動通信端末の端末情報を特定して上記第１移動通信端末を発見するための発見モジュールと、検出した発見信号に用いられる資源ブロックの所在する第１伝送資源集合を特定するための第２資源特定モジュールと、グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、上記第１移動通信端末の所在するグリッドが上記第１伝送資源集合に対応する第１グリッドであると特定するための第２グリッド特定モジュールと、を含む。
【００１９】
上記のデバイス発見装置において、地理位置とグリッドとの間の第１対応関係に基づいて、上記第１移動通信端末の所在するエリアが上記第１グリッドに対応する実地理エリアのうちの１つであると特定するための第２位置決めモジュールをさらに含む。
【発明の効果】
【００２０】
本発明の具体的な実施例は、以下の効果のうちの少なくとも１つを有する。
【００２１】
本発明の具体的な実施例において、グリッド毎に１つの伝送資源集合が対応付けられ、かつ同一の伝送資源集合に対応する任意２つのグリッドの実物理距離が所定距離閾値を超えるため、異なる移動通信端末が同一の資源を使用して発見信号を伝送することによってもたらす発見失敗の確率が低下でき、すなわちユーザ発見ミスの確率が低下した。
【００２２】
本発明の具体的な実施例において、端末が、発見信号の送信時に、自グリッドにおけるほかの端末にまだ使用されていない資源を優先的に選択し、実距離の近い端末が同一の資源を使用して発見信号を伝送する可能性がさらに低下し、ユーザ発見ミスの確率がさらに低下した。
【００２３】
本発明の具体的な実施例において、端末が、受信した発見信号に利用される資源から、発見信号を送信する端末の大体の位置を特定でき、伝送オーバーヘッドを増やすことなく、位置の特定を実現する。
【００２４】
本発明の具体的な実施例において、自グリッドに対応する資源が使い果たされると、他グリッドにおけるまだ利用されていない資源を優先的に選択して発見信号を伝送し、異なる端末が同一の資源を使用して発見信号を伝送する可能性がさらに低下し、ユーザ発見ミスの確率がさらに低下した。
【図面の簡単な説明】
【００２５】
【図１】本発明の実施例のデバイス発見方法のフローを示す図面である。
【図２】本発明の実施例の別のデバイス発見方法のフローを示す図面である。
【図３】本発明の実施例のデバイス発見装置の構造を示す図面である。
【図４】本発明の実施例の別のデバイス発見装置の構造を示す図面である。
【図５】本発明の実施例のグリッド区分を示す図面である。
【発明を実施するための形態】
【００２６】
本発明の実施例のデバイス発見方法および装置において、移動通信端末発見用の伝送資源を地理位置に基づいて区分することによって、干渉しうる異なるエリアの移動通信端末に異なる資源を使用させる。同一のエリア内に移動通信端末が比較的少ないため、監視することによって、同一エリア内の他の移動通信端末に選択されて占用されている資源の選択を回避する。有限のエリア内に複数の端末が同時に選択をして同一の資源ブロックを使用して伝送をすることも多くないため、ユーザが同一資源ブロックを使用することが低下し、すなわちユーザ発見ミスの確率がさらに低下した。
【００２７】
本発明の実施例のデバイス発見方法は、移動通信網の第１移動通信端末に用いる。上記移動通信網には、移動通信端末を発見するための伝送資源が割り当てられている。上記伝送資源は、複数の伝送資源集合に分けられて、各伝送資源集合に少なくとも１つの資源ブロックを含む。図１に示すように、上記デバイス発見方法において、下記ステップを含む。
【００２８】
ステップ１０１において、現在の実地理位置を取得する。
【００２９】
ステップ１０２において、地理位置とグリッドとの間の第１対応関係に基づいて、上記実地理位置に対応する第１グリッドを特定する。
【００３０】
ステップ１０３において、グリッドと伝送資源集合との間の第２対応関係に基づいて、上記第１グリッドに対応する第１伝送資源集合を特定する。第２対応関係では、グリッド毎に１つの伝送資源集合が対応付けられ、かつ同一の伝送資源集合に対応する任意２つのグリッドの実物理距離が所定距離閾値を超える。
【００３１】
ステップ１０４において、上記第１伝送資源集合における資源ブロックを利用して発見信号を伝送することによって、第２移動通信端末が、上記発見信号の受信後に、上記発見信号に記録された端末情報に基づいて上記第１移動通信端末を発見し、発見信号に用いられる資源ブロックの所在する伝送資源集合および上記第２対応関係に基づいて、上記第１移動通信端末の所在する上記第１グリッドを特定する。
【００３２】
本発明の具体的な実施例において、グリッド毎に１つの伝送資源集合が対応付けられ、かつ同一の伝送資源集合に対応する任意２つのグリッドの実物理距離が所定距離閾値を超えるため、異なる移動通信端末が同一の資源を利用して発見信号を伝送することによってもたらす発見失敗の確率が低下でき、すなわちユーザ発見ミスの確率が低下した。これについて例を挙げて以下のように説明する。
【００３３】
まず、同一の伝送資源集合に対応する任意２つのグリッドの実物理距離が所定距離閾値を超えるため、伝送資源集合Ｃを使用するあるグリッドＡにとって、伝送資源集合Ｃを使用する他のグリッド（グリッドＢとする）からグリッドＡまでの距離は、少なくとも所定距離閾値である。
【００３４】
本発明の実施例において、複数の方法で適切な所定距離閾値を決めることができる。例えば、移動通信端末の目標発見距離、発見信号の検出閾値および発見信号の伝播減衰状況を考慮して所定距離閾値を決めることができる。移動通信端末の目標発見距離がＸ（すなわち距離がＸより小さいほかの移動通信端末は、該移動端末を発見するはず）とし、発見信号の信号干渉比がＺより大きくなると検出が成功でき、且つ、距離がＹ以上の発見信号の信号強度は、距離がＸの発見信号の信号強度の１／（Ｚ×Ｔ）より小さい（ここで、Ｔがグリッドの形状と関する定数）。すると、所定距離閾値をＸ＋Ｙにすることによって、目標発見距離範囲内の移動通信端末による発見信号の検出に成功できると保証できる。
【００３５】
または、移動通信端末から送信する発見信号の有効伝送距離をＸとする。該所定距離閾値が２Ｘより大きければ、グリッドＡとＢ以外のほかのグリッド（グリッドＣとする）にとって、グリッドＡ、Ｂ、Ｃが一直線になるか、三角形を形成する。グリッドＣとＡ、Ｂのうちの一方との距離がＸより小さい場合、グリッドＣとＡ、Ｂのうちの他方との距離が必ずＸより大きい。したがって、グリッドＣにおける端末は、最多でもグリッドＡまたはＢにおける端末から送信する発見信号しか受信できない。したがって、異なる移動通信端末が同一の資源を使用して発見信号を伝送することによってもたらす発見失敗の確率が低下し、すなわちユーザ発見ミスの確率が低下した。
【００３６】
ここで、理解すべきこととして、上記の所定距離閾値のＸ＋Ｙまたは２Ｘが本発明の２つの好ましい方式であり、該所定距離閾値がＸ＋Ｙまたは２Ｘより小さい場合、同様にユーザ発見ミスの確率が低下できる。
【００３７】
同時に、本発明の具体的な実施例において、グリッド毎に１つの伝送資源集合が対応付けられるため、端末Ａは、他端末の発見実行中に、同一の伝送資源について、そのうちの１つのグリッドにおける端末しか発見できない。したがって、端末Ａは、発見した端末の所在するグリッドを位置決めできる。従来技術の方策に比較し、本発明の実施例の方法は、伝送オーバーヘッドを増やすことなく、発見した端末の位置情報も取得でき、発見の資源利用率を向上した。
【００３８】
理解すべきこととして、本発明の実施例の１つの目的は、異なる端末が同一の資源を使用して発見信号を伝送することによってもたらす発見失敗の確率を低下させることであって、このようなことを完全に発生させないことではない。これについて、以下のように説明する。
【００３９】
同一の伝送資源集合に対応する任意２つのグリッドの実物理距離が所定距離閾値を超えるが、同一グリッドにおける端末が同一伝送資源集合を共用するため、グリッドＣにとって、グリッドＣとグリッドＢとの間の距離が発見信号の有効伝送距離Ｘより小さいとすると、グリッドＣにおける端末は、グリッドＢにおける端末が送信した発見信号しか受信できない。グリッドＣにおける端末にとって、グリッドＢにおける２つの端末が同一伝送資源を使用して伝送した発見信号を受信した場合、およびグリッドＣにおける２つの端末が同一伝送資源を使用して伝送した発見信号を受信した場合、発見失敗が依然として存在する。
【００４０】
このようなことについて、異なる移動通信端末が同一の資源を使用して発見信号を伝送することによってもたらす発見失敗の確率をさらに低下させるために、本発明の具体的な実施例において、同一グリッドにおける端末に対して、同一伝送資源集合を利用するが、端末が、伝送資源集合における資源ブロックをランダムに選択するのではなく、まだ利用されていない資源を優先的に選択する。
【００４１】
このような方式の場合、本発明の実施例において、上記第１伝送資源集合における資源ブロックを利用して発見信号を伝送することは、上記第１伝送資源集合における全資源ブロック上の信号の第１信号強度を検出し、対応する信号強度が第１所定信号強度閾値より小さい第１資源ブロックが第１伝送資源集合に存在する場合、第１資源ブロックから１つの資源ブロックを選択し、選択した資源ブロックを利用して上記発見信号を伝送することを含む。
【００４２】
上記方式によって、異なる移動通信端末が同一の資源を利用して発見信号を伝送することによってもたらす発見失敗の確率がさらに低下できる。これについて、以下のように説明する。
【００４３】
端末Ａは、自身の所在するグリッドの特定後、対応する使用可能な伝送資源集合を特定できるようになる。該伝送資源集合には、発見信号の伝送に用いられる複数の資源ブロックＸ１、Ｘ２、…、Ｘｎを含む。この場合、本発明の実施例において、端末Ａは、資源ブロックＸ１、Ｘ２、…、Ｘｎについて検出をし、資源ブロック上の信号の信号強度を特定する。
【００４４】
ある資源ブロック（Ｘｍとする）上の信号強度が所定閾値以上である場合、該資源ブロックが既に他端末によって占用されていることを示す。信号強度が所定閾値より小さい場合、該資源ブロックが空き状態にあることを示す。このとき、端末は、対応する信号強度が第１所定信号強度閾値より小さい第１資源ブロックから１つを選択して発見信号の伝送を行う。
【００４５】
上記方式によって、端末が発見信号を送信しようとするとき、まだ使用されていない資源ブロックを優先的に選択するので、同一グリッドにおける異なる移動通信端末が同一の資源を使用して発見信号を伝送する可能性が低下し、すなわちユーザ発見ミスの確率が低下した。
【００４６】
もちろん、上記の端末は対応する信号強度が第１所定信号強度閾値より小さい第１資源ブロックから１つの資源ブロックを選択することは、複数種類の方式によって行うことができる。例えば、信号強度の小さい順で配列した後に、信号強度が最も小さい資源ブロックを選択する。また、対応する信号強度が第１所定信号強度閾値より小さい第１資源ブロックからランダムに選択する。
【００４７】
理解すべきこととして、この前に記載したグリッドを区分して異なるグリッドに異なる伝送資源を割り当て、所定距離内のグリッドに割り当てた伝送資源が異なるように保証する方式に基づいて、発見ミスの確率が低下できるが、上記の同一グリッドにおける端末の資源ブロック選択方式は、上記方式を元にユーザ発見ミスの確率をさらに低下させることであって、ユーザ発見ミス確率低下の必須手段ではない。
【００４８】
もちろん、いくつかの特殊な場合、例えばあるグリッドで同時にユーザ発見機能を使用するユーザが比較的多い場合、該グリッドに割り当てた伝送資源集合のうちのどの伝送ブロックでも占用される可能性がある。この際、新たに増えるユーザ発見機能使用ユーザも該グリッドに対応する伝送資源集合を利用すれば、必ず小範囲内（グリッド範囲内）に同一伝送資源を使用して発見信号を伝送する端末が複数存在することが生じ、他の端末の発見を失敗にする可能性がある。
【００４９】
上記の場合、本発明の実施例のデバイス発見方法は、第１伝送資源集合における任意１つの資源ブロックに対応する信号強度が第１所定信号強度閾値以上である場合、第１伝送資源集合以外の伝送資源集合における資源ブロック上の信号の第２信号強度を検出し、対応する第２信号強度が第２所定信号強度閾値より小さい１つの資源ブロックを選択し、選択した資源ブロックを利用して上記発見信号を伝送することをさらに含む。
【００５０】
上記方式によって、ユーザ発見ミスの確率がさらに低下した。これについて、以下のように説明する。
【００５１】
端末Ａは、自身の所在するグリッドの特定後、対応する使用可能な伝送資源集合を特定できるようになる。該伝送資源集合には、発見信号の伝送に用いられる複数の資源ブロックＸ１、Ｘ２、…、Ｘｎを含む。この場合、本発明の実施例において、端末Ａは、資源ブロックＸ１、Ｘ２、…、Ｘｎについて検出をし、資源ブロック上の信号の信号強度を特定する。
【００５２】
全ての資源ブロック上の信号強度が所定閾値以上である場合、端末Ａは、他の資源ブロック上の信号強度を検出し、信号強度が第２所定信号強度閾値より小さい資源ブロックから１つを選択して発見信号の伝送を行う。
【００５３】
他の資源ブロック上の信号強度が所定閾値より小さい場合、他のグリッドに割り当てた資源がまだ使用されていないことを示す。このとき、他のグリッドにおけるまだ使用されていない資源を選択して発見信号を伝送することができる。
【００５４】
以上、発見の開始側から、本発明の実施例のデバイス発見方法の動作過程を記載した。以下、発見の受信側から、本発明の実施例のデバイス発見方法をさらに説明する。
【００５５】
発見の受信側から見ると、本発明の実施例のデバイス発見方法は、移動通信網の第２移動通信端末に用いる。上記移動通信網には、移動通信端末を発見するための伝送資源が割り当てられている。上記伝送資源は、複数の伝送資源集合に分けられて、各伝送資源集合に少なくとも１つの資源ブロックを含む。図２に示すように、上記デバイス発見方法は、以下のステップを含む。
【００５６】
ステップ２０１において、上記伝送資源において発見信号の検出を行う。
【００５７】
ステップ２０２において、検出した発見信号に記録された第１移動通信端末の端末情報を特定して上記第１移動通信端末を発見する。
【００５８】
ステップ２０３において、検出した発見信号に用いられる資源ブロックの所在する第１伝送資源集合を特定する。
【００５９】
ステップ２０４において、グリッドと伝送資源集合との間の第２対応関係に基づいて、上記第１移動通信端末の所在するグリッドが上記第１伝送資源集合に対応する第１グリッドのうちの１つであると特定する。第２対応関係では、グリッド毎に１つの伝送資源集合が対応付けられ、かつ同一の伝送資源集合に対応する任意２つのグリッドの実物理距離が所定距離閾値を超える。
【００６０】
もちろん、本発明の実施例のデバイス発見方法において、さらに、地理位置とグリッドとの間の第１対応関係に基づいて、発見された第１移動通信端末の所在するエリアが上記第１グリッドに対応する実地理エリアのうちの１つであると特定することを含んでよい。
【００６１】
本発明の実施例は、移動通信網の第１移動通信端末に用いるデバイス発見装置をさらに提供する。上記移動通信網には、移動通信端末を発見するための伝送資源が割り当てられている。上記伝送資源は、複数の伝送資源集合に分けられて、各伝送資源集合に少なくとも１つの資源ブロックを含む。
【００６２】
図３に示すように、上記デバイス発見装置は、現在の実地理位置を取得するための第１位置決めモジュールと、地理位置とグリッドとの間の第１対応関係に基づいて、上記実地理位置に対応する第１グリッドを特定するための第１グリッド特定モジュールと、グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、上記第１グリッドに対応する第１伝送資源集合を特定するための第１資源特定モジュールと、上記第１伝送資源集合における資源ブロックを利用して発見信号を伝送することによって、第２移動通信端末が、上記発見信号の受信後に、上記発見信号に記録された端末情報に基づいて上記第１移動通信端末を発見し、発見信号に用いられる資源ブロックの所在する伝送資源集合および上記第２対応関係に基づいて、上記第１移動通信端末が所在する上記第１グリッドのうちの１つを特定するための第１伝送モジュールと、を含む。
【００６３】
同一グリッドにおける端末がなるべく異なる資源ブロックを使用することを保証するために、上記第１伝送モジュールは、上記第１伝送資源集合における全資源ブロック上の信号の第１信号強度を検出するための第１検出ユニットと、対応する信号強度が第１所定信号強度閾値より小さい第１資源ブロックが第１伝送資源集合に存在する場合、第１資源ブロックから１つの資源ブロックを選択し、選択した資源ブロックを利用して上記発見信号を伝送するための第１伝送ユニットと、を含む。
【００６４】
同一グリッドにおける端末がなるべく異なる資源ブロックを使用することを保証するために、本発明の実施例のデバイス発見装置は、第１伝送資源集合における任意１つの資源ブロックに対応する信号強度が第１所定信号強度閾値以上である場合、第１伝送資源集合以外の伝送資源集合における資源ブロック上の信号の第２信号強度を検出するための第２モニタリングユニットと、対応する第２信号強度が第２所定信号強度閾値より小さい１つの資源ブロックを選択し、選択した資源ブロックを利用して上記発見信号を伝送するための第２伝送ユニットと、をさらに含む。
【００６５】
本発明の実施例のユーザ発見に用いる受信側のデバイス発見装置は、移動通信網の第２移動通信端末に用いる。上記移動通信網には、移動通信端末を発見するための伝送資源が割り当てられている。上記伝送資源は、複数の伝送資源集合に分けられて、各伝送資源集合に少なくとも１つの資源ブロックを含む。
【００６６】
図４に示すように、上記デバイス発見装置は、上記伝送資源において発見信号の検出を行うための発見信号検出モジュールと、検出した発見信号に記録された第１移動通信端末の端末情報を特定して上記第１移動通信端末を発見するための発見モジュールと、検出した発見信号に用いられる資源ブロックの所在する第１伝送資源集合を特定するための第２資源特定モジュールと、グリッドと伝送資源集合との間の、グリッド毎に１つの伝送資源集合が対応付けられ、かつ同一の伝送資源集合に対応する任意２つのグリッドの実物理距離が所定距離閾値を超える第２対応関係に基づいて、上記第１移動通信端末の所在するグリッドが上記第１伝送資源集合に対応する第１グリッドであると特定するための第２グリッド特定モジュールと、を含む。
【００６７】
さらに端末の位置決めをするために、上記のデバイス発見装置は、地理位置とグリッドとの間の第１対応関係に基づいて、上記第１移動通信端末の所在するエリアが上記第１グリッドに対応する実地理エリアのうちの１つであると特定するための第２位置決めモジュールをさらに含む。
【００６８】
以下、実際の範例をもって本発明の実施例の方法および装置についてさらに以下のように詳細に説明する。
【００６９】
まず、デバイス発見に供される物理層チャネルの時間周波数資源全体を相互に含まれない異なる時間周波数資源集合に分けて、時間周波数資源集合とグリッドとを対応付ける。
【００７０】
時間周波数資源集合とグリッドとの対応付けは、同一時間周波数資源集合を割り当てられる移動通信端末同士の距離が所定距離Ｘより大きくなるか、所定距離Ｙ（Ｘ＞Ｙ）より小さくなるようにする。
【００７１】
例を挙げて以下のように説明する。図５に示すように、エリア全体を複数の大四方格子（図５では太い実線で囲んで形成したエリア）に区分し、各大四方格子内部を複数の小四方格子に区分する。各大四方格子内部にＮ個（図面では２５個である）の小四方格子を有するとする。
【００７２】
このとき、デバイス発見に供される伝送資源全体をＮ等分に区分し、各等分を各大四方格子の小四方格子に一対一にマッピングする。
【００７３】
実際には、大四方格子でも小四方格子でも、対応する１つの実地理エリアに対応する（このような対応関係の確立は常用技術手段であり、よく電子マップ、ナビゲーションなどの技術分野に用いられるが、ここでは詳細に記載しない）。
【００７４】
各移動通信端末は、自身の物理位置情報から、自分がどの小四方格子内にあるかを判断し、対応する時間周波数資源集合を選択して自身の高い優先レベルの時間周波数資源集合とすることができる。
【００７５】
上記方式に基づくと、２つの移動通信端末が発見信号を伝送するときに同一の時間周波数資源集合を利用した場合、両者が異なる大四方格子の同一小四方格子に属するか、同一大四方格子の同一小四方格子に属することになる。すなわちその物理距離が距離Ｘより大きくなるか、距離Ｙより小さくなる。
【００７６】
上記対応関係（地理位置とグリッドの対応関係、グリッドと伝送資源集合との間の対応関係）の確立後、上記の対応関係を移動通信端末に知らせる必要がある。
【００７７】
このような対応関係は、予め格納する方式で移動通信端末に格納しても良いし、ネットワーク側から放送方式で端末に通知しても良いし、さらにネットワーク側から上記対応関係を計算するパラメータを端末に送信して端末によって算出されてもよい。
【００７８】
移動網は、直前ステップの時間周波数資源集合およびそれと地理位置との間のマッピングを移動通信端末に通知する。移動網は、例えば距離Ｘ、距離Ｙなどのパラメータを放送シグナリングを介して通知できるが、具体的な集合区分方法とマッピング方法は、デフォルト設置によって移動通信端末に予め設置することができる。例えば、直前ステップの集合区分方法とマッピング方法を選択した場合、距離Ｘ、距離Ｙの値を通知すれば、移動通信端末は、自身の位置から、対応する高い優先レベルの時間周波数資源集合を自ら算出できる。
【００７９】
以下、移動通信端末が自身の位置から高い優先レベルの時間周波数資源集合を算出する例を挙げ、上記例における集合区分方法とマッピング方法を使用するものとする。
【００８０】
システム放送メッセージを介してユーザに通知するとし、大四方格子の長さが１２００メートル、小四方格子の長さが８０メートルである。すると、１２００メートル×１２００メートルの四方格子内に（１２００／８０）２＝２２５個の小四方格子を区分できる。
【００８１】
ユーザの地理座標が北緯３９．９８４９３２、東経１１６．３２５２４８とする。まず、北緯０、東経０を零点とする平面直角座標系の座標（４４２１２９３．８７メートル、１１１１０３４．３５メートル）に変換する。それから平面直角座標を１２００メートルに対してモジュラー演算をして大四方格子内の相対座標（４９３．８７、１０３４．３５）を取得する。該相対座標から該移動通信端末が大四方格子内の左から７個目、下から１３個目の小四方格子内にあると特定できる。デバイス発見に供する物理層チャネルの時間周波数資源全体を２２５の同一大きさの重ならない時間周波数資源集合に等分し、該２２５個の小四方格子と該２２５の時間周波数資源集合を一対一に対応付ける。すると、移動通信端末自身の所在する地理位置から、対応する時間周波数資源集合を算出でき、それを比較的高い優先レベルの資源集合に選択することができる。
【００８２】
もちろん、グリッドの形状が異なる（六角形などでも使用できる）と、その計算方式も異なってくる。ここでは逐一に記載しない。
【００８３】
上記工程後に、移動通信端末が近隣デバイス発見を試みるとき、まず自身の地理位置からどの小四方格子（グリッド）にあるかを判断することで、さらに使用可能な伝送資源集合を特定できる。
【００８４】
その後、移動通信端末は、同一グリッドにおける端末と同一の資源を使用することを避けるために、まずグリッドに対応する伝送資源において監視をし、これらの伝送資源上の信号強度がある所定値より大きいか否かを判断する。
【００８５】
該所定値の大きさは、所定干渉範囲内に別の移動通信端末が同様の時間周波数資源を使用して発見信号を送信すると、自移動通信端末が該時間周波数資源において所定値より高い信号強度を検出確率が比較的大きくなるように設定できる。
【００８６】
全ての高い優先レベルの時間周波数資源上の信号強度が該所定値より大きくなると、自グリッドに割り当てた伝送資源が全て使用されることを示す。このとき、ユーザは、デバイス発見に供される時間周波数資源全体を監視し（第１回の監視と合併できる）、検出結果に基づいて所定のルール（例えば信号強度最低原則、またはエネルギーの小さい順で最低エネルギーである５％の時間周波数資源を選択してからランダムに選択するなど）に従い１つの時間周波数資源を選択して発見信号を送信する必要がある。そうでなければ、ユーザは、自グリッドに割り当てた伝送資源から、エネルギーの小さい順で最低エネルギーである５％の時間周波数資源を選択してからランダムに１つの時間周波数資源を選択して発見信号を送信する。
【００８７】
相手側の移動通信端末は、該発見信号を受信した後に、まず発見信号に記録された端末情報から、該発見信号を送信した端末を発見でき、同時に発見信号に使用される資源から、所在する小四方格子を特定でき、検出された移動通信端末の大体の位置を特定する。もちろん、本発明の具体的な実施例において、位置決めが必要の場合、位置決めの精度を保証するために、移動通信端末が所在するグリッドに対応する伝送資源集合を選択しなかった場合、移動通信端末が所在するグリッドに対応する伝送資源集合を選択するか否かを記録するための通知フィールドを発見信号内に設置できる。それによって相手側が該フィールドからそれについて位置きめを行うか否かを決める。
【００８８】
以上の記載は、本発明の好ましい実施形態に過ぎない。本技術分野の一般技術者にとって、本発明の原理を逸脱しない前提において、さらにいくつかの改良と修飾をすることができる。これらの改良と修飾は、本発明の保護範囲に含まれると見なされるべきである。
【図１】
2014183592.tif 000003
【図２】
2014183592.tif 000004
【図３】
2014183592.tif 000005
【図４】
2014183592.tif 000006
【図５】
2014183592.tif 000007